(57)【要約】【課題】液晶の焼き付けを防止する。【解決手段】  本発明の表示装置は、液晶表示素子と、駆動回路とを備えている。駆動回路は、液晶表示素子を駆動する際に、画素電極と対向電極と間に印加する信号電圧の極性を、動画像信号のフレーム周期で反転させるとともに、その極性を反転する制御信号の位相を変動させる。【選択図】図８
2005352190.tif 000002
【特許請求の範囲】
【請求項１】
電界の強度に応じて光学特性が変化する光学特性変化層と、前記光学特性変化層を挟んで互いに対向する位置に設けられた画素電極及び対向電極とを有する表示用光学デバイスを駆動する駆動装置において、
前記画素電極と前記対向電極と間に動画像信号に応じた電圧を印加して、前記光学特性変化層の光学特性を前記動画像信号に応じて変化させる駆動部と、
前記画素電極と前記対向電極と間に印加する電圧の極性を、前記動画像信号の画面周期のｎ（ｎは１以上の整数）倍の周期で反転させる反転制御部とを備え、
前記反転制御部は、前記極性を反転する制御信号の位相を、変動させること
を特徴とする駆動装置。
【請求項２】
前記反転制御部は、前記極性を反転する前記制御信号の位相を、所定の周期毎に１８０度変化させること
を特徴とする請求項１記載の駆動装置。
【請求項３】
前記所定の周期を、周期的に変動させること
を特徴とする請求項２記載の駆動装置。
【請求項４】
前記表示用光学デバイスの光学特性変化層は、液晶であること
を特徴とする請求項１記載の駆動装置。
【請求項５】
前記表示用光学デバイスは、画素電極が形成されたシリコン基板と、前記シリコン基板上に設けられた液晶と、前記液晶を挟んで対向する位置に設けられた透明材料からなる対向電極とを有する反射型液晶表示素子であること
を特徴とする請求項１記載の駆動装置。
【請求項６】
電界の強度に応じて光学特性が変化する光学特性変化層と、前記光学特性変化層を挟んで互いに対向する位置に設けられた画素電極及び対向電極とを有する表示用光学デバイスと、
前記表示用光学デバイスの前記画素電極と前記対向電極と間に動画像信号に応じた電圧を印加して、前記光学特性変化層の光学特性を前記動画像信号に応じて変化させる駆動部と、
前記画素電極と前記対向電極と間に印加する電圧の極性を、前記動画像信号の画面周期のｎ（ｎは１以上の整数）倍の周期で反転させる反転制御部とを備え、
前記反転制御部は、前記極性を反転する制御信号の位相を、変動させること
を特徴とする表示装置。
【請求項７】
前記反転制御部は、前記極性を反転する前記制御信号の位相を、所定の周期で１８０度変化させること
を特徴とする請求項６記載の表示装置。
【請求項８】
前記所定の周期を、周期的に変動させること
を特徴とする請求項７記載の表示装置。
【請求項９】
前記光学特性変化層は、液晶であること
を特徴とする請求項６記載の表示装置。
【請求項１０】
前記表示用光学デバイスは、画素電極が形成されたシリコン基板と、前記シリコン基板上に設けられた液晶と、前記液晶を挟んで対向する位置に設けられた透明材料からなる対向電極とを有する反射型液晶表示素子であること
を特徴とする請求項６記載の表示装置。
【請求項１１】
入力された動画像信号をフレーム補間して、入力された動画像信号より画面周期を短くした動画像信号を生成する補間部をさらに備え、
上記駆動部は、画面周期を短くした動画像信号に応じて、前記光学特性変化層の光学特性を変化させ、
上記反転制御部は、前記画素電極と前記対向電極と間に印加する電圧の極性を、画面周期を短くした動画像信号の画面周期のｎ（ｎは１以上の整数）倍の周期で反転させること
を特徴とする請求項６記載の表示装置。
【請求項１２】
電界の強度に応じて光学特性が変化する光学特性変化層と、前記光学特性変化層を挟んで互いに対向する位置に設けられた画素電極及び対向電極とを有する表示用光学デバイスを駆動する駆動方法において、
前記画素電極と前記対向電極と間に動画像信号に応じた電圧を印加して、前記光学特性変化層の光学特性を前記動画像信号に応じて変化させることにより、表示用光学デバイスを駆動し、
前記画素電極と前記対向電極と間に印加する電圧の極性を前記動画像信号の画面周期のｎ（ｎは１以上の整数）倍の周期で反転させるとともに、前記極性を反転する制御信号の位相を変動させること
を特徴とする駆動方法。
【請求項１３】
前記極性を反転する前記制御信号の位相を、所定の周期毎に１８０度変化させること
を特徴とする請求項１２記載の駆動方法。
【請求項１４】
前記所定の周期を、周期的に変動させること
を特徴とする請求項１３記載の駆動方法。
【請求項１５】
前記表示用光学デバイスの光学特性変化層は、液晶であること
を特徴とする請求項１２記載の駆動方法。
【請求項１６】
前記表示用光学デバイスは、画素電極が形成されたシリコン基板と、前記シリコン基板上に設けられた液晶と、前記液晶を挟んで対向する位置に設けられた透明材料からなる対向電極とを有する反射型液晶表示素子であること
を特徴とする請求項１２記載の駆動方法。
【発明の詳細な説明】
【技術分野】
【０００１】
本発明は、例えば液晶表示素子等の駆動装置及び方法、液晶表示素子等を用いた表示装置に関するものである。
【背景技術】
【０００２】
近年、その薄さと軽さから、画像の表示デバイスとして液晶表示デバイスが広く用いられるようになってきている。
【０００３】
液晶表示デバイス１００は、図１０に示すように、２次元的に配置された画素電極１０１が設けられた駆動基板１０２と、対向電極１０３が設けられた対向基板１０４と、液晶１０５とを備えている。駆動基板１０２と対向基板１０４とは、互いに電極１０１,１０３が対向するように所定の隙間を介して貼り合わされており、その隙間部分に液晶１０５が封入されている。
【０００４】
液晶１０５は、印加されている電界の強さに応じてその配向が変化し、光の透過率が変化する。つまり、液晶１０５は、画素電極１０１と対向電極１０３との間に印加する電圧の大きさに応じて、その透過率が変化する。従って、液晶表示デバイス１００では、画像信号に応じた電圧を画素電極１０１に印加することによって、対応部分の透過率が変化するので、バックライト等により光を照射することにより、その画像信号に応じた映像を表示することが可能となる。
【０００５】
また、液晶１０５は、印加されている電界の強さに応じてその配向が変化するが、図１１に示すように、印加電界の極性が変わっても透過率は変わらない。つまり、画素電極１０１と対向電極１０３との間に＋Ｖ１の電位差を与えても、画素電極１０１と対向電極１０３との間に−Ｖ１の電位差を与えても、その透過率は変わらない。なお、図１１は、いわゆるノーマリーブラックモードの液晶（印加されている電界が０の時に透過率が０の液晶）の透過率を示した図であるが、ノーマリーホワイトモード（印加されている電界が０の時に透過率が最大）の液晶であっても、印加電界の極性が変わっても透過率は変わらないという特性は同様である。
【０００６】
また、液晶表示デバイス１００では、動画像信号を表示する場合、通常、１フレームに一回画素電極１０１に電圧を印加し、次のフレームまでその電圧を保持し続けて、表示を保持するというフレームホールド駆動が行われる。しかしながら、フレームホールド駆動の場合、人間の視覚光学上、残像感により動画にボケが感じられてしまう。このような残像感によるボケを回避するための方法の一つとして、画像の書換え速度を早くする方法がある。
【０００７】
画像の書換え速度を早くした液晶駆動方法の一つとして、図１２に示すように、入力された動画像信号（元動画像）をフレーム補間して、フレーム周期を短くした動画像信号（フレーム補間後の動画像）を生成し、このフレーム周期を短くした動画像を液晶表示デバイスに表示する方法がある。フレーム周期を短くすることによって、液晶表示デバイスに対する画像書き換え速度を早くすることが可能となる。
【０００８】
また、液晶１０５は、内部にイオンの偏りが発生すると、電圧−階調特性を再現できなくなる「焼き付き現象」が発生することが知られている。この焼き付き現象は、最悪の場合、材料の分解にもつながる。
【０００９】
そのため、従来の液晶表示デバイスでは、直流成分の電圧印加が生じないように、画像の書換え周期毎、即ち、フレーム（又はフィールド）毎に、液晶に印加する電圧の正負の極性を周期的に反転するという駆動を行っている（例えば、特許文献１参照。）。液晶表示デバイス１００では、図１３に示すように、対向電極１０３に印加する電圧をコモン電圧（Ｖｃｏｍ）としたときに、各画素電極１０３に印加する信号電圧Ｖｓｉｎの極性を、コモン電圧（Ｖｃｏｍ）を中心にフレーム周期で反転させている。
【００１０】
【特許文献１】特開平４−２９９３８７号公報
【発明の開示】
【発明が解決しようとする課題】
【００１１】
ところで、図１４に示すような、黒い背景画像１１１上に白いオブジェクトであるボール１１０が静止している動画像を、極性反転駆動により液晶表示デバイス１００上に表示する場合について考える。なお、図１４は、連続した４フレームを表した動画像である。
【００１２】
ある時刻ｔ１１のフレームでは、図１４（Ａ）に示すように、画面内の点線で区切った所定の領域Ａに、ボール１１０が表示されている。このときの所定の領域Ａの画素電極１０１に印加される信号電圧Ｖｓｉｎは、例えば＋Ｖ１となる。
【００１３】
時刻ｔ１１の次のフレーム（時刻ｔ１２）では、図１４（Ｂ）に示すように、画面内の点線で区切った所定の領域Ａに、ボール１１０が表示されている。このときの所定の領域Ａの画素電極１０１に印加される信号電圧Ｖｓｉｎは、極性が反転し−Ｖ１となる。この信号電圧Ｖｓｉｎは、さらに次のフレーム（時刻ｔ１３）では図１４（Ｃ）に示すように極性が＋Ｖ１となり、またまた次のフレーム（時刻ｔ１４）では図１４（Ｄ）に示すように極性が−Ｖ１となる。
【００１４】
従って、所定の領域Ａの画素電極１０１に印加された電圧ＶｓｉｎのＤＣレベル（ここでは、４フレーム平均でのＤＣレベル）は、０となる。
【００１５】
続いて、図１５に示すような、黒い背景画像１１１上に白いオブジェクトであるボール１１０が一方向に移動している動画像を、極性反転駆動により液晶表示デバイス１００上に表示する場合について考える。なお、図１５は、連続した４フレームを表した動画像である。
【００１６】
ある時刻ｔ２１のフレームでは、図１５（Ａ）に示すように、画面内の点線で区切った所定の領域Ｂに、ボール１１０が表示されている。このときの所定の領域Ｂの画素電極１０１に印加される信号電圧Ｖｓｉｎは、例えば＋Ｖ１となる。
【００１７】
続いて、時刻ｔ２１の次のフレーム（時刻ｔ２２）では、図１５（Ｂ）に示すように、ボール１１０が移動したことにより、所定の領域Ｂには、黒い背景画像が表示されている。このときの所定の領域Ｂの画素電極に印加される信号電圧Ｖｓｉｎは０となる。さらに次以降のフレーム（時刻ｔ２２,ｔ２３）でも、図１５（Ｃ）及び図１５（Ｄ）に示すように、所定の領域Ｂには、黒い背景画像が表示され、このときの所定の領域Ｂの画素電極に印加される信号電圧Ｖｓｉｎは０となる。
【００１８】
従って、所定の領域Ｂの画素電極１０１に印加された信号電圧ＶｓｉｎのＤＣレベル（ここでは、４フレーム平均でのＤＣレベル）は、０．２５×（＋Ｖ１）となり、時刻が進めば信号電圧ＶｓｉｎのＤＣレベルはさらに小さくなる。
【００１９】
以上のように、通常の映像の動画像信号を表示している場合においては、極性反転を行えば、画素電極に印加された信号電圧ＳｓｉｎのＤＣレベルは０となるか、又は、徐々に０に近づいていくかするため、液晶表示デバイス１００に焼き付き現象が発生しないことがわかる。
【００２０】
ここで、図１６に示すような、黒い背景画像１１１上に白いオブジェクトであるボール１１０が振り子のように揺れ動いている動画像を、極性反転駆動により液晶表示デバイス１００上に表示する場合について考える。なお、図１６は、連続した４フレームを表した動画像である。
【００２１】
ある時刻ｔ３１のフレームでは、図１６（Ａ）に示すように、画面内の点線で区切った所定の領域Ｃに、ボール１１０が表示されている。このときの所定の領域Ｃの画素電極１０１に印加される信号電圧Ｖｓｉｎは、例えば＋Ｖ１となる。
【００２２】
続いて、時刻ｔ３１の次のフレーム（時刻ｔ３２）では、図１６（Ｂ）に示すように、ボール１１０が移動したことにより、所定の領域Ｃには、黒い背景画像が表示されている。このときの所定の領域Ｃの画素電極に印加される信号電圧Ｖｓｉｎは０となる。
【００２３】
続いて、時刻ｔ３２の次のフレーム（時刻ｔ３３）では、図１６（Ｃ）に示すように、画面内の点線で区切った所定の領域Ｃに、ボール１１０が表示されている。このときの所定の領域Ｃの画素電極１０１に印加される信号電圧Ｖｓｉｎは、例えば＋Ｖ１となる。
【００２４】
続いて、時刻ｔ３３の次のフレーム（時刻ｔ３４）では、図１６（Ｄ）に示すように、ボール１１０が移動したことにより、所定の領域Ｃには、黒い背景画像が表示されている。このときの所定の領域Ｃの画素電極に印加される信号電圧Ｖｓｉｎは０となる。
【００２５】
従って、所定の領域Ｃの画素電極に印加された信号電圧ＶｓｉｎのＤＣレベル（ここでは、４フレーム平均でのＤＣレベル）は、０．５×（＋Ｖ１）となる。
【００２６】
さらに、この画像が続いた場合にも、この信号電圧ＶｓｉｎのＤＣレベルは、変わらず０．５×（＋Ｖ１）となる。
【００２７】
このように、印加電圧の正負の両極性を周期的に反転する駆動を行っても、フレーム周期に同期するように周期変動するオブジェクト画像を表示する場合には、信号電圧ＳｓｉｎのＤＣレベルが発生する。
【００２８】
印加電圧の正負の両極性を周期的に反転する駆動を行っても、このため液晶に焼き付き現象が発生してしまう可能性が生じてしまう場合がある。
【００２９】
本発明は、このような問題を解決し、どのような映像を表示する場合であっても、焼き付け光学デバイスの駆動装置及び方法、並びに、表示装置を提供することを目的とする。
【課題を解決するための手段】
【００３０】
本発明に係る駆動装置は、電界の強度に応じて光学特性が変化する光学特性変化層と、前記光学特性変化層を挟んで互いに対向する位置に設けられた画素電極及び対向電極とを有する表示用光学デバイスを駆動する駆動装置であって、前記画素電極と前記対向電極と間に動画像信号に応じた電圧を印加して、前記光学特性変化層の光学特性を前記動画像信号に応じて変化させる駆動部と、前記画素電極と前記対向電極と間に印加する電圧の極性を、前記動画像信号の画面周期のｎ（ｎは１以上の整数）倍の周期で反転させる反転制御部とを備え、前記反転制御部は、前記極性を反転する制御信号の位相を、変動させることを特徴とする。
【００３１】
また、本発明に係る表示装置は、電界の強度に応じて光学特性が変化する光学特性変化層と、前記光学特性変化層を挟んで互いに対向する位置に設けられた画素電極及び対向電極とを有する表示用光学デバイスと、前記表示用光学デバイスの前記画素電極と前記対向電極と間に動画像信号に応じた電圧を印加して、前記光学特性変化層の光学特性を前記動画像信号に応じて変化させる駆動部と、前記画素電極と前記対向電極と間に印加する電圧の極性を、前記動画像信号の画面周期のｎ（ｎは１以上の整数）倍の周期で反転させる反転制御部とを備え、前記反転制御部は、前記極性を反転する制御信号の位相を、変動させることを特徴とする。
【００３２】
また、本発明に係る駆動方法は、電界の強度に応じて光学特性が変化する光学特性変化層と、前記光学特性変化層を挟んで互いに対向する位置に設けられた画素電極及び対向電極とを有する表示用光学デバイスを駆動する駆動方法であって、前記画素電極と前記対向電極と間に動画像信号に応じた電圧を印加して、前記光学特性変化層の光学特性を前記動画像信号に応じて変化させることにより、表示用光学デバイスを駆動し、前記画素電極と前記対向電極と間に印加する電圧の極性を前記動画像信号の画面周期のｎ（ｎは１以上の整数）倍の周期で反転させるとともに、前記極性を反転する制御信号の位相を変動させることを特徴とする。
【発明の効果】
【００３３】
本発明に係る駆動装置及び方法並びに表示装置では、液晶表示デバイス等の光学デバイスを駆動する際に、画素電極と対向電極と間に印加する信号電圧の極性を、動画像信号の画面周期のｎ倍の周期で反転させるとともに、その極性を反転する制御信号の位相を変動させる。
【００３４】
このことにより本発明に係る駆動装置及び方法並びに表示装置では、どのような映像を表示する場合であっても、ＤＣレベルが印加されず、焼き付け現象が生じない。従って、表示装置の寿命が長くなる。
【発明を実施するための最良の形態】
【００３５】
以下、本発明が適用された液晶表示素子を用いた動画像の表示装置について説明をする。
【００３６】
図１に、本発明が適用された表示装置１０のブロック構成図を示す。
【００３７】
表示装置１０は、図１に示すように、液晶表示素子１１と、映像信号処理回路１２と、補間回路１３と、ドライバ１４と、タイミングコントローラ１５とを備えている。
【００３８】
図２に液晶表示素子１１の外観構成を模式的に表した図を示し、図３に液晶表示素子１１の断面を模式的に表した図を示す。
【００３９】
液晶表示素子１１は、ＭＯＳＦＥＴが形成されたシリコン基板が一方の基板に用いられるいわゆるＬＣＯＳ（Liquid Crystal on Silicon）と呼ばれる反射型の液晶素子である。
【００４０】
液晶表示素子１１は、薄板状の単結晶シリコン基板である駆動回路基板２１と、薄板状の透明なガラス基板である対向基板２２と、液晶２３とを備えている。
【００４１】
駆動回路基板２１の主面には、複数の画素電極２４が設けられている。対向基板２２の画面表示領域全体には、例えばＩＴＯ等の透明な導電材料からなる対向電極２５が形成されている。駆動回路基板２１と対向基板２２とは、画素電極２４と対向電極２５とが対向するように、周縁部分のシール部材２６を介して貼り合わされており、画素電極２４と対向電極２５との間には所定間隔の隙間が設けられている。駆動回路基板２１と対向基板２２との隙間部分には、印加されている電界の強さに応じてその配向が変化して光の透過率が変化する液晶２３が封入されている。
【００４２】
画素電極２４は、図４に示すように画面表示領域内の各画素位置に、二次元的にマトリクス状に設けられている。画素電極２４は、図５に示すように、走査ライン（水平ライン）と信号ライン（垂直ライン）の交差点に設けられたＭＯＳスイッチ２８とコンデンサ２９とに接続されており、アクティブマトリクス方式により、映像信号に応じた信号電圧Ｖｓｉｎが印加される。また、対向電極２５には、信号電圧Ｖｓｉｎの基準電圧（コモン電圧Ｖｃｏｍ）が印加される。
【００４３】
以上のような液晶表示素子１１では、画素電極２４に信号電圧Ｖｓｉｎを印加すると、つまり、対向電極２５と画素電極２４との間に電位差を与えると、その電位差に応じて光の透過量を制御することができる。従って、対向基板２２の外側から光を入射して、当該液晶２３によりその光を反射させたときに、各画素電極２４に対応する位置で反射された反射光の特性を変化させることができる。例えば、反射光の特性を変化とは、単純な透過光量の変化や、偏向方向の変更等である。
【００４４】
また、ＬＣＯＳ（Liquid Crystal on Silicon）である液晶表示素子１１では、一般に用いられているＴＦＴに比べて駆動速度が非常に速い。そのため、後述するような補間処理を行って画像の書き換え速度を早くするような処理を行うことができる。
【００４５】
映像信号処理回路１２には、液晶表示素子１１に表示する動画像信号が入力される。映像信号処理回路１２は、入力された映像信号に対して、同期分離処理、コンポーネットのビデオ信号（Ｒ，Ｇ，Ｂ信号）への変換処理、ゲイン調整及び逆ガンマ補正等の各種映像信号処理を行う。
【００４６】
補間回路１３には、映像信号処理回路１２により映像信号処理がされた後の映像信号が入力される。補間回路１３は、入力された映像信号のフレーム（画面）とフレームとの間に新たな１以上のフレームを補間して生成し、もともとのフレームと補間フレームとから構成された新たな映像信号を生成する。すなわち、補間回路１３は、元の映像信号（例えばフレーム周期が１６．７ｍｓ）から、フレーム周期が短くなった新たな映像信号を生成する。
【００４７】
ドライバ１４は、補間回路１３により生成されたフレーム周期が短い新たな動画像信号に応じて、アクティブマトリクス方式で液晶表示素子１１の走査ライン（水平ライン）と信号ライン（垂直ライン）のそれぞれに電圧を印加する。つまり、走査ライン（水平ライン）を順次にスイッチングしていくとともに、信号ライン（垂直ライン）に映像信号に応じた信号電圧Ｖｓｉｎを印加する。このことにより、所望の画素電極２４に、所定の信号電圧Ｖｓｉｎを印加することができ、液晶表示素子１１上に１フレーム分の画像を表示することができる。
【００４８】
タイミングコントローラ１５は、補間された新たな映像信号の同期タイミング（フレームタイミングや、走査ラインの駆動タイミング）を生成して、ドライバ１４に供給する。それとともにタイミングコントローラ１５は、信号ラインに印加する信号電圧Ｖｓｉｎの極性を制御する制御信号を生成し、ドライバ１４に供給する。
【００４９】
つぎに、信号電圧Ｖｓｉｎの極性を制御する制御タイミングについて説明をする。
【００５０】
表示装置１０では、液晶表示素子１１内の液晶２３に焼き付け現象が生じないように、画像の書換え周期毎、即ち、フレーム（又はフィールド）毎に、信号電圧Ｖｓｉｎの正負の極性を周期的に反転するというフレーム反転駆動を行っている。つまり、対向電極２５に印加する電圧をコモン電圧（Ｖｃｏｍ）としたときに、各画素電極２４に印加する信号電圧Ｖｓｉｎの極性を、コモン電圧Ｖｃｏｍを中心にフレーム周期で反転させている。極性の切り換え制御は、タイミングコントローラ１５からの制御信号（極性切換信号）に応じて行われる。なお、ここで、フレーム周期とは、補間後の動画像信号のフレーム周期である。
【００５１】
また、フレーム反転駆動を行うために、ドライバ１４内には、例えば、図６に示すような、バイアス電源が切り換えられるバッファ回路３０が設けられている。バッファ回路３０では、正極側の信号電圧Ｖｓｉｎを印加するタイミングと、負極側の信号電圧Ｖｓｉｎを印加するタイミングとで、バイアス電源をプラス側とマイナス側とで切り換えて、信号極性を反転する。
【００５２】
表示装置１０では、信号電圧Ｖｓｉｎの極性を、コモン電圧Ｖｃｏｍを中心にフレーム周期で反転させているとともに、さらに、その反転位相を周期的に変化させている。つまり、反転位相を、周期的に１８０度ずらしている。
【００５３】
具体的に、図７に、信号電圧Ｖｓｉｎの極性切換切のタイミングを示す。
【００５４】
信号電圧Ｖｓｉｎの極性は、図７に示すように、基本的には、１フレーム周期（補間がされた後の新たなフレーム周期）毎に切り換えられている。つまり、信号電圧Ｖｓｉｎは、１フレーム毎に、正極側の信号電圧＋Ｖ１と負極側の信号電圧−Ｖ１とに切り換えられている。
【００５５】
さらに、信号電圧Ｖｓｉｎの極性は、一定期間毎（図７では８フレーム毎）に、その位相を変えている。つまり、一定期間毎に、切換信号の位相を１８０度反転させている。従って、位相変更の切換ポイント（時刻ａ、時刻ｂ）を挟むフレームでは、同一の極性の信号電圧が与えられる。
【００５６】
以上のように表示装置１０では、液晶表示素子１１をフレーム反転駆動しているとともに、そのフレーム反転駆動の位相を一定周期（位相変更周期Ｔ）毎に変化させている。このため、例えば、フレーム周期に同期するように周期変動する画像が表示されていた場合であっても、信号電圧Ｖｓｉｎの潮流成分は０となる。従って、表示装置１０では、どのような映像を表示する場合であっても、焼き付け現象が生じない。
【００５７】
例えば、図１６に示すような黒い背景画像１１１上に白いオブジェクトであるボール１１０が振り子のように揺れ動いている動画像を表示する場合であっても、位相変更周期Ｔの２周期に亘り直流成分を検出したときには、その直流成分は０となり焼き付け現象が生じない。
【００５８】
なお、一つの位相変更周期Ｔ内では、信号電圧Ｖｓｉｎの直流成分が最小となるように、正極側駆動と負極側駆動の回数を同一とするのが望ましい。つまり、位相変更周期Ｔは、偶数フレームであることが望ましい。
【００５９】
また、図７に示すような駆動方法のみならず、図８に示すように、１つの位相変更周期Ｔ内では、一方側のみの極性とクロ画像表示とを交互に行うようにフレーム反転駆動してもよい。つまり、ある位相変更周期では正極側の信号電圧Ｖｓｉｎの駆動とクロ画像との駆動を行い、次の位相変更周期では負極側の信号電圧Ｖｓｉｎの駆動とクロ画像との駆動を行うようにしてもよい。
【００６０】
さらに、位相変更周期Ｔより充分長い周期（切換周期）をＰとした場合、この切換周期Ｐ毎に、位相変更周期Ｔを変更するようにしてもよい。つまり、図９に示すように、位相変更周期Ｔ１（例えば、８フレーム）と、位相変更周期Ｔ２（例えば、１０フレーム）とを設定しておき、切換周期Ｐ（例えば、Ｔ１とＴ２の最小公倍数の４０フレーム）毎に、Ｔ１とＴ２との間で位相変更周期を交互に切り換えるようにしてもよい。
【００６１】
また、切換周期Ｐ毎に位相変更周期Ｔの時間長を切り換えるのではなく、切換周期Ｐ毎に位相変更周期Ｔの時間長は同一であるが、切換周期Ｐ毎にフレーム反転駆動の位相が反転するようにしてもよい。
【００６２】
また、切換周期Ｐ毎に位相変更周期Ｔの時間長を切り換えを行ったり、フレーム反転駆動の位相が反転する切り換えを行ったりと、時間長と位相の切換を混在させてもよい。
【００６３】
以上のように、信号電圧Ｖｓｉｎのレベルが０となるとともにフレーム反転駆動の位相がよりランダムとなるように、信号電圧Ｖｓｉｎの極性を切り換えることにより、液晶表示素子１１内の液晶２３に焼き付け現象をより生じさせないようにすることができる。
【００６４】
なお、以上本発明の適用例を説明するにあたり、いわゆるＬＣｏＳと呼ばれる反射型の液晶素子を用いた例を説明したが、本発明はこのようなものに限らず、透過型の液晶パネル等の電界により光学特性が変化する材料を用いた表示素子であればどのようなものに適用してもよい。
【００６５】
また、表示装置１０では、１フレーム周期毎に正極性と負極性とを切り換えているが、本発明では１フレーム周期毎ではなくｎフレーム（ｎは自然数。）毎に正極性と負極性とを切り換えればよい。
【図面の簡単な説明】
【００６６】
【図１】本発明の実施の形態の表示装置のブロック図である。
【図２】反射型液晶表示素子の模式的な斜視図である。
【図３】反射型液晶表示素子の模式的な断面図である。
【図４】画素電極の２次元的な配置を示す図である。
【図５】画素電極のスイッチ回路を示す図である。
【図６】信号電圧Ｖｓｉｎの極性切換を行うドライバを示す図である。
【図７】本発明による信号電圧Ｖｓｉｎの極性切換のタイミングを示す図である。
【図８】本発明による信号電圧Ｖｓｉｎの極性切換のタイミングの他の例を示す図である。
【図９】本発明による信号電圧Ｖｓｉｎの極性切換のタイミングのさらに他の例を示す図である。
【図１０】液晶表示デバイスの構成を模式的に表す図である。
【図１１】画素電極-対向電極間の電圧に対する液晶の透過特性を示す図である。
【図１２】フレーム周期を短くするための画像補間処理について説明をするための図である。
【図１３】フレーム反転駆動を行うための制御信号を示す図である。
【図１４】黒い背景画像上に白いボールが静止している動画像を示す図である。
【図１５】黒い背景画像上に白いボールが一方向に移動している動画像を示す図である。
【図１６】黒い背景画像上に白いボールが揺れ動いている動画像を示す図である。
【符号の説明】
【００６７】
１０  表示装置、１１  液晶表示素子、１２  映像信号処理回路、１３  補間回路、１４  ドライバ、１５  タイミングコントローラ
【図１】
2005352190.tif 000003
【図２】
2005352190.tif 000004
【図３】
2005352190.tif 000005
【図４】
2005352190.tif 000006
【図５】
2005352190.tif 000007
【図６】
2005352190.tif 000008
【図７】
2005352190.tif 000009
【図８】
2005352190.tif 000010
【図９】
2005352190.tif 000011
【図１０】
2005352190.tif 000012
【図１１】
2005352190.tif 000013
【図１２】
2005352190.tif 000014
【図１３】
2005352190.tif 000015
【図１４】
2005352190.tif 000016
【図１５】
2005352190.tif 000017
【図１６】
2005352190.tif 000018